(57)【要約】【課題】従来のホームページは掲載されているカテゴリーが極めて多岐であるため通常接続手段、ＱＲコード等でホームページへアクセスした者が目的の情報に到達するまでに、何段階もの検索を繰返して目的のカテゴリーに到達できる、よって、決まった目的、今すぐに情報を入手したい場合でも、毎回、同じ検索をせねばならぬ煩雑さが課題であった。【解決手段】プロバイダーが作成し運営・管理するサーバー、登録会員、アクセス者、携帯電話機能により作成したモバイルビデオポームページ、及び、それらの接続手段としてのＱＲコード等 をシステム構成し、プロバイダーはシステムの中枢としてサーバーを備え、該サーバーはシステム構成を運営・管理するに必要な各プログラム・ソフトを備えたものである、モバイルビデオホームページサービスビジネスシステムによって課題を解決した。【選択図】なし【特許請求の範囲】
【請求項１】
プロバイダーが作成し運営・管理するサーバー、登録会員、アクセス者、携帯電話機能により作成したモバイルビデオポームページ、及び、それらの接続手段としてのＱＲコード(２次元コード)等 をシステム構成したものであるサービスビジネスシステムであり、
プロバイダーは、システムの中枢としてサーバーを備え、該サーバーは、
１．プロバイダーが、会員登録契約をした登録会員をサーバーに登録すると共に、各登録会員毎にＩＤ、暗証番号等の会員特定手段（１個以上）を付与し、また、ＱＲコード（１個以上）を付与するようにしたプログラム・ソフト、
２．登録会員が携帯電話機能でメールにビデオ（動画・音声）、写真等を添付したメールを作成し、該メールを携帯電話カメラで上記ＱＲコードを読取ることによりワンタッチでサーバーへ送信すると、サーバーは登録会員のＩＤ、暗証番号の会員特定手段をチェックした後、当該登録会員用フォルダに、該メールを順にファイルとして保存するようにしたブログ環境設定プログラム・ソフト、
３．上記の登録会員がＱＲコードでサーバーへワンタッチ送信し、サーバーがファイルとして保存するメールは、再生時に、ビデオ（動画・音声）を主体としそれに必要に応じ通常のメール（テキスト、写真等）を付加した形態の、登録会員専用のモバイル（携帯電話）ビデオポームページとしてリアルタイムで表れるようにしたプログラム・ソフト、
４．サーバーのフォルダ・ファイル即ちモバイルビデオポームページの送受信
(保存個数、順番、保存期間、順位、更新・削除、入替、削除、ビデオの録画時間、その他) を処理するプログラム・ソフト、
５．プロバイダーと登録会員との会員登録契約内容、例えば、有償(会計経理機能・入会金、会費、利用料金、収支明細等)、無償、入会・脱退、契約期間、会員リスト、会員検索、会員分類、会員情報、各種決済、各種確認・修正・問合せ等を処理するプログラム・ソフト、
６．一方、登録会員は、プロバイダーのサーバーに開設・保存した自己のモバイルビデオポームページをアクセス者（一般若しくは特定）の再生閲覧に供すると共に、登録会員がプロバイダーから取得したＱＲコードをアクセス者の携帯電話カメラで読取り可能な状態に表示して、広報、広告、宣伝、配布、頒布等の適宜のＰＲ・ＣＭ手段で広く知悉せしめ、
アクセス者が登録会員のＱＲコードをプロバイダーのサーバーへワンタッチ送信して、登録会員の上記フォルダ・ファイルへワンタッチでアクセスし、リアルタイムで該モバイルビデオポームページを再生閲覧できるようにしたプログラム・ソフト、及び、アクセス者からモバイルビデオポームページ若しくはサーバーに返信できるようにしたプログラム・ソフト。
７．プロバイダーは、必要に応じ、アクセス者を一般アクセス者と特定アクセス者に分別し、
一般消費者等の社会全般無制限なアクセス者を一般アクセス者とし、
登録会員との特定関係者、例えば、各種クラブ等のクラブ側（登録会員）と会員、会社（登録会員）と各部署・各社員、親（登録会員）と子・家族、学校（登録会員）と生徒等のように、登録会員が特定アクセス者に選定したアクセス者に、プロバイダーは特定アクセス者用のＩＤ、暗証番号等の特定手段を付与し、また、ＱＲコード(１個以上)を付与するようにして、特定アクセス者のみがアクセス可能としたプログラム・ソフト、
８．サーバーの登録会員用のモバイルビデオホームページには、プロバイダーと会員登録契約をした登録会員だけがＩＤ、暗証番号等の会員特定手段及びＱＲコードを用いて送信保存し得るようにすると共に、登録会員以外のアクセス者、部外者等が当該モバイルビデオホームページの画面その他内容等を自由に変更・追加・削除等できないようにしたセキュリティ・プログラム・ソフト、
等のプログラム・ソフトを備えたものであり、
上記の各プログラム・ソフトをシステム構成したものである、
モバイルビデオホームページサービスビジネスシステム。
【発明の詳細な説明】
【技術分野】
【０００１】
本発明は、プロバイダーが作成し運営・管理するサーバー、登録会員、アクセス者、携帯電話のビデオ電子メール機能により作成したモバイルビデオポームページ、及び、それらの接続手段としてのＱＲコード(２次元コード) をシステム構成したものであり、
大多数の人が所持使用している携帯電話のメール機能、特に、ビデオカメラ機能を使用し、また、ＱＲコードをワンタッチ接続手段として使用し、ビデオ機能による動画（映像）・音声を最大の特徴とする、個人・法人ＰＲ用、相互連絡用等の極めて簡単に作成できるモバイルビデオホームページのサービスを提供するビジネスシステムに係るものである。
【背景技術】
【０００２】
従来、ホームページが、法人、個人のＰＲ・ＣＭ等の手段として広く利用されている。
ところが、新規にホームページを作成開設することは、不慣れな者にとって容易なことでなく、よって、専門業者に委託せざるを得ない場合が多く、そのためかなりの費用を要した。
また、ホームページ自体の、目的に合った構成、デザイン体裁、編集等を決めて、そのように作成する作業には大変な手数、時間を要し、更に、作りっ放しでなく、常に、内容の更新、変更、追加等の管理をせねばならぬことにも多大な手数、時間を要する課題であった。
即ち、ホームページの開設、作成、維持は容易でないため、半ば諦めていることが多かったのである。
【０００３】
また、ホームページを折角開設しても、その存在が知られなければアクセスして貰えないため、どのようにしてホームページにアクセスしてもらうか、も大きな課題であり、
よって、近来、新聞雑誌等の広告、チラシ、名刺等にＱＲコード(２次元コード)を印刷しておき、関心を持った人にアクセスしてもらうことが盛んに行なわれつつある。
該ＱＲコード(２次元コード)は、その読み取りに対応(機種)したカメラ付き携帯電話でＱＲコードを接写で読み取り送信すると、該ＱＲコード所有者のホームページにワンタッチで自動的に接続できものである。
ところが、上記のＱＲコード接続で可能なのは、面倒なアドレスの打ちこみ無しにワンタッチでホームページに接続できることだけであった。
【０００４】
而して、通常のホームページは、そこに掲載されているカテゴリーが極めて多岐であるため、上記のＱＲコード若しくは通常接続手段でホームページへアクセスしたアクセス者が、該ホームページにおいて、自分が見たい、目的の情報に到達するまでに、更に数段階の検索を繰返して絞込み、ようやく目的とするカテゴリーに到達できる場合が多く、よって、いつも見るものが決まっている場合や、今すぐに情報を入手したいような場合でも、毎回、同じ検索を繰返さねばならぬ煩雑さが避けられず、その点が従来のホームページの大きな課題とされてきた。
【発明の開示】
【発明が解決しようとする課題】
【０００５】
一方、一旦、ホームページを作成開設して、操作管理等に慣れてくると、国内はもとより世界中のアクセス者とリアルタイムで接続できる、その効果、利用法が極めて大きいことも、知られているため、誰もが、ホームページを作成開設して、利用したい希望を持っている。
そこで、本発明は、通常の本格的なホームページとまでは行かないまでも、それに類似した、若しくは一面においてそれに優った特長を発揮できるような、一種の簡易ホームページを、誰でも極めて簡便な方法で作成開設することを目的として研究開発した結果、
【０００６】
現在、大多数の人が所持使用している携帯電話のメール機能、特に、ビデオカメラ機能を使用し、また、ＱＲコードをワンタッチ接続手段として使用して、ビデオ機能による動画（映像）・音声を最大の特徴とする、個人・法人ＰＲ用、相互連絡用等の極めて簡単に作成できるモバイルビデオホームページのサービスを提供するビジネスシステムを作成提供して、従来の課題を解決したものである。
【課題を解決するための手段】
【０００７】
プロバイダーが作成し運営・管理するサーバー、登録会員、アクセス者、携帯電話機能により作成したモバイルビデオポームページ、及び、それらの接続手段としてのＱＲコード(２次元コード)等 をシステム構成したものであるサービスビジネスシステムであり、
【０００８】
プロバイダーは、システムの中枢としてサーバーを備え、該サーバーは、
１．プロバイダーが、会員登録契約をした登録会員をサーバーに登録すると共に、各登録会員毎にＩＤ、暗証番号等の会員特定手段（１個以上）を付与し、また、ＱＲコード（１個以上）を付与するようにしたプログラム・ソフト、
【０００９】
２．登録会員が携帯電話機能でメールにビデオ（動画・音声）、写真等を添付したメールを作成し、該メールを携帯電話カメラで上記ＱＲコードを読取ることによりワンタッチでサーバーへ送信すると、サーバーは登録会員のＩＤ、暗証番号の会員特定手段をチェックした後、当該登録会員用フォルダに、該メールを順にファイルとして保存するようにしたブログ環境設定プログラム・ソフト、
【００１０】
３．上記の登録会員がＱＲコードでサーバーへワンタッチ送信し、サーバーがファイルとして保存するメールは、再生時に、ビデオ（動画・音声）を主体としそれに必要に応じ通常のメール（テキスト、写真等）を付加した形態の、登録会員専用のモバイル（携帯電話）ビデオポームページとしてリアルタイムで表れるようにしたプログラム・ソフト、
【００１１】
４．サーバーのフォルダ・ファイル即ちモバイルビデオポームページの送受信
(保存個数、順番、保存期間、順位、更新・削除、入替、削除、ビデオの録画時間、その他) を処理するプログラム・ソフト、
【００１２】
５．プロバイダーと登録会員との会員登録契約内容、例えば、有償(会計経理機能・入会金、会費、利用料金、収支明細等)、無償、入会・脱退、契約期間、会員リスト、会員検索、会員分類、会員情報、各種決済、各種確認・修正・問合せ等を処理するプログラム・ソフト、
【００１３】
６．一方、登録会員は、プロバイダーのサーバーに開設・保存した自己のモバイルビデオポームページをアクセス者（一般若しくは特定）の再生閲覧に供すると共に、登録会員がプロバイダーから取得したＱＲコードをアクセス者の携帯電話カメラで読取り可能な状態に表示して、広報、広告、宣伝、配布、頒布等の適宜のＰＲ・ＣＭ手段で広く知悉せしめ、
アクセス者が登録会員のＱＲコードをプロバイダーのサーバーへワンタッチ送信して、登録会員の上記フォルダ・ファイルへワンタッチでアクセスし、リアルタイムで該モバイルビデオポームページを再生閲覧できるようにしたプログラム・ソフト、及び、アクセス者からモバイルビデオポームページ若しくはサーバーに返信できるようにしたプログラム・ソフト。
【００１４】
７．プロバイダーは、必要に応じ、アクセス者を一般アクセス者と特定アクセス者に分別し、
一般消費者等の社会全般無制限なアクセス者を一般アクセス者とし、
登録会員との特定関係者、例えば、各種クラブ等のクラブ側（登録会員）と会員、会社（登録会員）と各部署・各社員、親（登録会員）と子・家族、学校（登録会員）と生徒等のように、登録会員が特定アクセス者に選定したアクセス者に、プロバイダーは特定アクセス者用のＩＤ、暗証番号等の特定手段を付与し、また、ＱＲコード(１個以上)を付与するようにして、特定アクセス者のみがアクセス可能としたプログラム・ソフト、
【００１５】
８．サーバーの登録会員用のモバイルビデオホームページには、プロバイダーと会員登録契約をした登録会員だけがＩＤ、暗証番号等の会員特定手段及びＱＲコードを用いて送信保存し得るようにすると共に、登録会員以外のアクセス者、部外者等が当該モバイルビデオホームページの画面その他内容等を自由に変更・追加・削除等できないようにしたセキュリティ・プログラム・ソフト、
等のプログラム・ソフトを備えたものであり、
【００１６】
上記の各プログラム・ソフトをシステム構成したものである、モバイルビデオホームページサービスビジネスシステムによって課題を解決したものである。
【発明の効果】
【００１７】
登録会員は、ブロバイダーのサーバーにモバイルビデオホームページを、メールにビデオ(動画・音声)を添付したメールファイルを該会員ＱＲコードをワンタッチで送信するだけで極めて簡単に作成でき、
一方、アクセス者は携帯電話で会員ＱＲコードをワンタッチで送信するだけで登録会員のモバイルビデオホームページをリアルタイムで閲覧できる、
【００１８】
登録会員になるだけで、法人・個人を問わず、自己の商品、会社その他あらゆるものに関する最新目的情報を、特に動画・音声
（従来のようにテキスト・静止写真だけでなく）によってモバイルビデオホームページを通してアクセス者に、随時、リアルタイムで提供することができる、
よって、登録会員が、今、すぐに知らせたい情報をモバイルビデオホームページに載せ、
アクセス者はモバイルビデオホームページを見て、今、すぐに知る事が出来る、
【００１９】
ブロバイダーは、登録会員(若しくは特定アクセス者)にＩＤ、暗証番号の特定手段（１個以上）を付与し、また、ＱＲコード(２次元コード)（１個以上）を付与しているので、不当目的アクセス、ウィルス等に対するセキュリティ手段を確保できる、
等の画期的な効果を発揮できる極めて優れた特徴がある。
【発明を実施するための最良の形態】
【００２０】
プロバイダーが作成し運営・管理するサーバー、登録会員、アクセス者、携帯電話機能により作成したモバイルビデオポームページ、及び、それらの接続手段としてのＱＲコードをシステム構成したものであり、プロバイダーは、システムの中枢として目的に対応したプログラム・ソフトをシステム構成したサーバーを備えたものである、モバイルビデオホームページサービスビジネスシステム。
【実施例１】
【００２１】
ブロバイダーは会員を募集して会員契約をし、サーバーに会員登録すると共に、会員毎にＩＤ、暗証番号のセキュリティ手段（１個以上）を付与し、また、ＱＲコード（１個以上） を付与し、サーバーに用意した登録会員のフォルダ・ファイル(受信トレイ、ブログ)に、登録会員がＱＲコードで送信してくるメールを受信記録する(メールの保存数、順番、期間、契約、利用金、入替、削除等は契約内容による。)。
現在は、ビデオ (動画・音声)の長さを２０〜３０秒位に設定しているが、将来的には、より長時間を予定している。
【００２２】
登録会員は、通常のメールに携帯電話のビデオカメラ機能によって作成したビデオ（動画・音声）を添付したものを作成し、ＱＲコード(ブロバイダーが付与)を携帯電話のカメラで読取送信して、上記のように該メールをサーバーのモバイルビデオポームページに保存する。
よって、アクセス者が該ＱＲコードを携帯電話カメラで読取送信すると、ワンタッチで登録会員のモバイルビデオポームページ（動画・音声・テキスト等）に接続し、リアルタイムで見ることが出来る。
【実施例２】
【００２３】
登録会員（個人、法人）は、モバイルビデオポームページを作成開設した目的、即ち、登録会員が見てもらいたい顧客等のアクセス者に、適宜手段で、自己のモバイルビデオポームページの存在をアピールしなければならない。
即ち、自己のＱＲコードを目的のアクセス者に知悉せしめることであるが、現時点におけるアピール手段と、その具体的な実施例を下記する。
なお、当然、実施例は下記に限られるものでなく、本発明の機能の利用、応用、用途等を新規開発することによって、無限大的に展開することが可能である。
【００２４】
「名刺」
名刺に、登録会員が自己のＱＲコードを印刷その他携帯電話カメラで読取れる手段で表示して、使用配布する。
一方、登録会員は自己のＰＲ等をモバイルビデオポームページに保存し、例えば、複数個保存しておいたり、毎日新規のものを保存して最新の状況を見せるように備える。
【００２５】
アクセス者が該名刺のＱＲコードを携帯電話カメラで読取送信すると、ワンタッチで登録会員のモバイルビデオポームページに接続し、名刺当人の動画・音声による挨拶、報告、スケジュール等やメールのテキスト等をリアルタイムで見ることが出来る。
また、アクセス者側からメール若しくはＱＲコード等の返信機能で回答、スケジュール等を返信できる。
【実施例３】
【００２６】
「スーパー、デパート、コンビニ、各種商店、各種飲食店等」
登録会員であるスーパー、デパート、コンビニ、各種商店、各種飲食店等が、そのチラシ、折込広告、カタログ、パンフレット等、若しくは、店長、支配人、各売り場、担当者等毎に、ＱＲコード(同一会員が１個以上複数取得し、また、１個以上複数のモバイルビデオポームページを開設しておくことも可)を印刷等の手段で表示する。
【００２７】
一方、同登録会員は、自己会社、商店、飲食店等の全体、商品全般等のＰＲビデオ、各売り場毎の場合は、新鮮・特売商品のタイムセール、新商品のリアルタイム情報、飲食店の新鮮なネタの仕入れ情報等を、各売り場毎のモバイルビデオポームページに保存し、その場合も、複数個保存しておいたり、毎日、若しくは設定時間毎に新規のものを保存して、最新の状況を見せるように備える。
【００２８】
アクセス者が上記各場合のＱＲコードを携帯電話カメラで読取送信すると、ワンタッチで該当のモバイルビデオポームページに接続し、例えば、生鮮食品売り場担当者・本人のビデオ(動画・音声)による商品紹介、説明、タイムサービスの限定タイム、値段等の情報を関係テキストと同時にリアルタイムで見ることが出来る。
また、アクセス者側から返信機能で予約、質問、回答、スケジュール等を返信できる。
【実施例４】
【００２９】
「各種会社（商社、製造販売業、金融機関等）、公的機関等」
登録会員である各種会社（商社、製造販売業、金融機関等）、公的機関等が、そのＰＲ誌、カタログ、パンフレット、ガイドブック等、若しくは、それらの担当者・部署等毎にＱＲコード(１個以上複数取得し、また、１個以上複数のモバイルビデオポームページを開設しておく)を印刷等の手段で表示する。
【００３０】
一方、同登録会員は、自己の会社紹介、取扱商品・製品全般のＰＲ・ＣＭ、若しくは、担当者・部署等毎の自己紹介、情報等を、各部署等毎のモバイルビデオポームページに保存し、必要に応じ、複数個保存しておき、また、毎日、若しくは設定期間毎に新規のものを保存・更新して、最新の状況を見せ・伝えるように備える。
【００３１】
アクセス者が上記各部署等のＱＲコードを携帯電話カメラで読取送信すると、ワンタッチで該当のモバイルビデオポームページに接続し、例えば、その会社等の紹介、取扱商品・製品全般のＰＲ・ＣＭ、若しくは、担当者・部署等毎の自己紹介、情報等、担当者・本人のビデオによる紹介、説明、情報の提供等をテキストと同時にリアルタイムで見ることが出来る。
また、それによって得た情報に対し、アクセス者側から返信機能で質問、回答、補足説明請求、資料請求、スケジュール等を返信できる。
【実施例５】
【００３２】
「特定アクセス者」「各種連絡網」「セキュリティ」
登録会員との特定関係者（特定アクセス者）、例えば、
１．各種クラブ(スポーツ、趣味等）のクラブ・主催者等側（登録会員）と、会員（特定アクセス者）、
２．会社（登録会員）と、各部署・各社員（特定アクセス者）、
３．親（登録会員）と、子・家族（特定アクセス者）、
４．学校・教師、ＰＴＡ、研究室（教授等）側（登録会員）と、生徒・保護者、研究員（学生等）側（特定アクセス者）、
５．学習塾・教師（登録会員）と、塾生徒（特定アクセス者）
６．各種団体（宗教団体、教会等）（登録会員）と、団体員・信者等（特定アクセス者）
７．その他、営業マンと顧客、サービス業者と顧客、同窓会等の相互連絡、メンバー制のレストラン、バー、ナイトクラブ等とメンバー・顧客、
等のように、登録会員が特定アクセス者と選定した者に対して、登録会員の必要に応じ、プロバイダーは特定アクセス者用のＩＤ、暗証番号等の特定手段を付与するようにして、特定アクセス者のみが登録会員のモバイルビデオポームページにアクセス可能とする。
即ち、登録会員の必要に応じ、該連絡網への不当侵入を防止するように備える。
【００３３】
例えば、近時社会問題となっている、「学童の安全確保」に関連して、
学校・教師側が登録会員となって、サーバーにモバイルビデオポームページを開設し、生徒・保護者側を特定アクセス者として、両者間でＩＤ、暗証番号等の特定手段及びＱＲコードを共用して備える。
【００３４】
そして、例えば、相互で指定した時間に、学校・教師側が「今日の生徒の下校時間等」を連絡するビデオ（担任先生がビデオで話す）を携帯電話ＱＲコードでモバイルビデオポームページに送信保存する。
一方、生徒・保護者側は指定時間に、携帯電話ＱＲコードでモバイルビデオポームページを見て、それを見た旨をビデオ（保護者が写った）を返信し、迎えに出る。
都合が悪い場合は、同じくビデオ（保護者が写った）、メールでその旨と迎えに行ける時間を返信する。
学校・教師側は保護者が迎えに来るまで生徒を保護しておく。
上記のようにすることによって、学校・教師側と生徒・保護者側の連絡間違い等による事故を未然に防止し、生徒の安全を確保できる。
【００３５】
前記の学校・教師等側と保護者等側の例は、上記１．〜６．に記載の、登録会員と特定アクセス者の間の各場合に同様にして応用することが出来る。
【実施例６】
【００３６】
「挨拶状、招待状」
（１）登録会員である各種会社（商社、製造販売業、金融機関等）は、各種行事（創立記念、支社・支店開店、新製品発表等）の「挨拶状、招待状、お知らせ等」に、ＱＲコードを印刷等の手段で表示する。
（２）登録会員である結婚関係者、葬儀関係者が、その結婚式、葬式等の「挨拶状、招待状、お知らせ等」に、ＱＲコードを印刷等の手段で表示する。
【００３７】
一方、同登録会員は、
（１）社長等の挨拶、会社創立関係の経緯、新製品の紹介、お知らせ、説明等、
（２）新郎、新婦の挨拶、経歴の紹介、出会いの告白等、喪主の挨拶、故人についての思い出話等のビデオメールを作成し、予め取得したＱＲコードを携帯電話カメラで読取送信し、サーバーのモバイルビデオポームページに保存しておく。
【００３８】
招待者、出席者、会葬者等のアクセス者が、「挨拶状、招待状、お知らせ等」のＱＲコードを携帯電話カメラで読取送信すると、ワンタッチで該当のモバイルビデオポームページに接続し、上記の
（１）社長等の挨拶、会社創立関係の経緯、新製品の紹介、お知らせ、説明等、
（２）新郎、新婦の挨拶、経歴の紹介、出会いの告白等、喪主の挨拶、故人についての思い出話等のビデオを直ちに見ることが出来る。
また、アクセス者側から返信機能で、お祝いの言葉、お悔やみの言葉等を返信することができる。
従って、従来の、単なる「挨拶状、招待状、お知らせ等」のように通り一辺ではなく、極めて親密な挨拶が出来る。
【実施例７】
【００３９】
「各種電報」
登録会員である各種電報の取扱業者は、サーバーの自己のモバイルビデオポームページに各種電報の発信依頼者毎に割当てる多数のモバイルビデオポームページを備え、各ファイル毎にＱＲコードを取得し、各種電報の発信依頼者毎に当該ＱＲコードを印刷等の手段で表示するようにする。
【００４０】
また、各種電報の取扱業者は、各種電報の発信依頼者毎に、例えば、
（１）結婚の祝電の場合は、発信依頼者・友人等のお祝の言葉等、
（２）祖父母の長寿の祝電の場合は、子・孫たちのお祝の言葉等、
（３）会社関係の祝電の場合は、発信依頼者から社長等へのお祝の言葉等、
（４）葬儀の弔電の場合は、発信依頼者から喪主・家族等へのお悔やみの言葉等、を発信依頼者本人等が出演しているビデオメールを作成し、上記ＱＲコードを携帯電話カメラで読取送信し、サーバーの当該モバイルビデオポームページに保存する。
【００４１】
各種電報を受取ったアクセス者が、各種電報に印刷したＱＲコードを携帯電話カメラで読取送信すると、ワンタッチで該当のモバイルビデオポームページに接続し、上記のようなアクセス者のビデオを直ちに見ることが出来る。
また、アクセス者側から返信機能で、お礼の挨拶等を返信することができる。
従って、従来の、単なる「各種電報」のように通り一辺でなく、相互に極めて身近な感じが得られ、また、アクセス者側の最新の情報などを伝えることができる。
【実施例８】
【００４２】
「各種興行の広告・宣伝（映画・演劇・芸能・スポーツ等）」
登録会員である各種興行の会社、関係者等が、新聞雑誌等に掲載した広告、各種ポスター、パンフレット、チラシ、チケット等にＱＲコードを印刷等の手段で表示しておく。
【００４３】
一方、同登録会員は、新作映画、上映中映画、劇場の上演予定、上演中の演劇、野球、サッカーその他のスポーツ等の、題名、劇場、出演者、競技場、試合、選手等の生の姿、映画・演劇・スポーツの名場面等のビデオを作製し、それをサーバーのモバイルビデオポームページに保存し、必要に応じ複数個保存しておき、また、毎日、若しくは、新規のものを保存・更新して、最新の状況を見せ・伝えるように備える。
【００４４】
アクセス者がＱＲコードを携帯電話カメラで読取送信すると、ワンタッチでモバイルビデオポームページに接続し、謂わば、映画、演劇、スポーツ等をビデオ画面で、リアルタイムに、臨場感を直に肌で感じて見ることが出来るため、宣伝効果満点である。
また、アクセス者側からメール若しくはＱＲコードの返信機能でチケットの予約、購入、質問等を返信できる。
【実施例９】
【００４５】
「芸能人の売込み」
登録会員となり、そのＱＲコードを取得した芸能プロダクション・芸能人（歌手、タレント、俳優、ダンサー等、及びそれらの志望者、新人等）は、自社の芸能人、本人自身が自己をＰＲするプロモーションビデオを作製する。
例えば、歌手志望者・新人歌手等は、自己紹介と自分が実際に歌っている姿、声を映したプロモーションビデオを作製し、それをサーバーのモバイルビデオポームページに保存し、必要に応じ複数個保存しておき、また、毎日、若しくは、新規のものを保存・更新して、最新の状況を見せ・伝えるように備える。
【００４６】
一方、同登録会員は、自己のモバイルビデオポームページを多くの関係者、ファン、一般人等にアクセスして貰うため、自己のＱＲコードを、例えば、名刺、ブロマイド、ポスター、チラシ等に印刷等の手段で表示したものを広く頒布する。
【００４７】
アクセス者がＱＲコードを携帯電話カメラで読取送信すると、当該芸能人等のモバイルビデオポームページにワンタッチで接続し、例えば、該芸能人の容姿、声、才能等を、謂わば、生の臨場感を直に肌で感じて見ることが出来る。
よって、芸能プロダクションの新人発掘、志望者、新人の売込み等に多大の効果あり、また、ファン、一般観客は該芸能人に一層親しみが湧くなど抜群の宣伝効果がある。
また、アクセス者側から返信機能で、来社・面接の誘い、発売、出演等のスケジュールの問い合わせ、チケットの予約、購入、励ましの言葉、本人に対する直接質問等を返信できる。
【産業上の利用可能性】
【００４８】
本発明に係る、プロバイダーが作成し運営・管理するプログラム・ソフトサーバー、登録会員、アクセス者、携帯電話機能により作成したモバイルビデオポームページ、及び、それらの接続手段としてのＱＲコード(２次元コード) をシステム構成したモバイルビデオホームページのサービスビジネスのシステムは、上記の実施例に限定されず、将来的に極めて多種多様な実施態様の開発及びその提供が可能であり、よって、それらは全て本発明の構成要件に含まれるものである。